(57)【特許請求の範囲】
【請求項１】
折りたたみ椅子であって、
第１の側と、第２の側と、を備えた折りたたみ椅子フレーム（１２）と、
このフレームに設けられた座部（１４）と、
前記フレーム（１２）の第１の側に設けられた第１の取付部（３０）と、
前記フレーム（１２）の第２の側に設けられた第２の取付部（３０）と、
単一の支柱（２２）と、この支柱（２２）に取り付けられる折りたたみ可能な天蓋（２６）と、を備えた傘（２０）と、
前記単一の支柱（２２）の下端に設けられて前記第１の取付部と前記第２の取付部の双方に係合可能であり、前記傘を前記折りたたみ椅子フレーム（１２）のいずれかの側に取り付け可能な第３の取付部（２８）と、
を有することを特徴とする折りたたみ椅子。
【請求項２】
前記支柱が枢動可能に接合された上部および下部セグメントを有し、前記天蓋（２６）の位置が前記椅子に対して調整が可能となるよう前記上部セグメントが前記下部セグメントに対して枢動する、請求項１に記載の折りたたみ椅子。
【請求項３】
前記支柱の前記下部セグメントが、前記天蓋（２６）を前記椅子に対してさらに調整するため、前記第１の取付部又は前記第２の取付部に近接して枢動する、請求項２に記載の折りたたみ椅子。
【請求項４】
前記上部および下部セグメントが、互いに対して少なくとも１８０°枢動する、請求項２に記載の折りたたみ椅子。
【請求項５】
前記支柱が前記第１の取付部又は前記第２の取付部に近接して枢動する、請求項１に記載の折りたたみ椅子。
【請求項６】
前記支柱が前記フレームに対して水平軸の周りを３６０°枢動する、請求項５に記載の折りたたみ椅子。
【請求項７】
前記天蓋（２６）が前記支柱の軸の周りを３６０°回転できるよう、前記傘のスポークが前記支柱に枢動可能に接合される、請求項１に記載の折りたたみ椅子。
【請求項８】
前記第１の取付部又は前記第２の取付部がクリップを有する、請求項１に記載の折りたたみ椅子。
【請求項９】
前記傘を前記椅子に対して選択的に前方および後方に位置決めるため、前記支柱が少なくとも１つのロックする押しボタンヒンジを有する、請求項１に記載の折りたたみ椅子。
【請求項１０】
前記傘が非対称形である、請求項１に記載の折りたたみ椅子。
【発明の詳細な説明】
【技術分野】
【０００１】
本発明は、２００９年２月１３日出願の米国仮特許出願第６１／１５２，３０３号の米国特許法１１９条による優先権を主張し、その出願は全ての内容を参照により本明細書に組み込まれる。
【背景技術】
【０００２】
椅子の座部および背もたれ部を形成するため布材料を取り付けた折りたたみ可能なフレームを有する折りたたみ椅子は、戸外の活動およびイベントで一般的である。これらの椅子は、運搬および格納のためコンパクトで容易にスリーブ形バッグに収まるように、垂直面および長手方向の軸に沿って折りたたむ。
【０００３】
種々のタイプの天蓋が、多数のタイプの折りたたみ椅子の付属品として公知である。これらの先行技術の天蓋は、一般的に形状は対称形で、一般的に椅子フレームの両側の一対の支持アームを使用して、または傘取付部材のような１本の中心に位置するアームまたは支柱を使用して、椅子の背部に装着される。これらの天蓋および傘は、椅子の折りたたみ性能をときどき限定し、または椅子が折りたたまれる前に外されなければならない。いくつかの天蓋または傘は、フレームに取り外し可能または着脱可能に装着される。これらの種々の先行技術の覆いは、しばしば、太陽または雨から人間を保護するための椅子の上の天蓋または傘の調節可能性が少ない。
【発明の概要】
【発明が解決しようとする課題】
【０００４】
従って、本発明の第一の目的は、調節可能な傘を有する改良された折りたたみ天蓋椅子の提供である。
【０００５】
本発明の１つの目的は、傘が水平および垂直軸の周りを枢動する折りたたみ天蓋椅子の提供である。
【０００６】
本発明の他の目的は、椅子フレームが傘を外すことなく２つの垂直軸周辺で折りたたみ可能な、改良された折りたたみ天蓋椅子の提供である。
【０００７】
本発明のさらなる目的は、傘が非対称形で、椅子フレームの装着のための１本の支柱を有する折りたたみ天蓋椅子の提供である。
【０００８】
本発明のさらに他の目的は、傘の調節可能性のため接合された支柱を持つ傘を有する折りたたみ天蓋椅子の提供である。
【０００９】
本発明のさらに他の目的は、椅子の左側または右側に選択的に装着可能な天蓋を有する折りたたみ天蓋椅子の提供である。
【００１０】
本発明の他の目的は、傘が椅子に接合されている間、直立した使用位置および下がった格納位置の間のおよそ１８０°を枢動する、折りたたみ天蓋椅子の提供である。
【００１１】
本発明のさらなる目的は、椅子に座っている人間に太陽から影を作るため、傘が垂直軸の周りを３６０°回転可能な、改良された折りたたみ天蓋椅子の提供である。
【００１２】
本発明の他の目的は、椅子のアームおよび座部に取り付けられた格納ポケットを有する折りたたみ天蓋椅子の提供である。
【００１３】
本発明のさらなる目的は、腰部支持体を有する、改良された折りたたみ天蓋椅子の提供である。
【００１４】
本発明のさらに他の目的は、組込みの栓抜きを有する、改良された折りたたみ天蓋椅子の提供である。
【００１５】
本発明のさらに他の目的は、覆いが金属の下塗を有する、折りたたみ天蓋椅子の提供である。
【００１６】
本発明の他の目的は、天蓋がクリップを用いて椅子のいずれかの側に接合可能な、折りたたみ天蓋椅子の提供である。
【００１７】
本発明のさらなる目的は、水平軸の周りの調節可能性のため、傘支柱が２つの押しボタンヒンジを有する折りたたみ天蓋椅子の提供である。
【００１８】
本発明の他の目的は、製造が経済的で、耐久性があり、使用中は安全な、改良された折りたたみ天蓋椅子の提供である。
【００１９】
本発明の他の目的は、使用位置および格納位置の間を迅速および容易に変更可能な、改良された折りたたみ天蓋椅子の提供である。
【課題を解決するための手段】
【００２０】
本発明の折りたたみ天蓋椅子は、クリップ接合で椅子のいずれかの側に装着可能な、着脱可能な天蓋または傘を有する。傘の支柱は、２つの水平軸の周りの枢動移動のため２つの押しボタンヒンジを有し、傘の頂部は３６０度枢動して、太陽および／または雨から椅子に座っている人間を保護するため、椅子の上の傘の位置の調整を可能にする。椅子は、背もたれ部内の腰部支持体、１つまたは複数の格納ポケット、栓抜き付ファスナ、および飲料缶および瓶ホルダーを有する。椅子は、椅子フレームから天蓋を取り外すことなく折りたたみ可能である。椅子および取り付けられた天蓋は、格納および運搬のため、スリーブバッグに入れることが可能である。
【図面の簡単な説明】
【００２１】
【図１】椅子の左側および右側の代替的な位置の傘を示す、本発明の改良された折りたたみ天蓋椅子の斜視図である。
【図２】天蓋椅子の正面図である。
【図３】天蓋椅子の背面図である。
【図４】天蓋椅子の右側面図である。
【図５】傘の１つの調整された位置を示す、図４と同様の図である。
【図６】天蓋椅子の左側面図である。
【図７】実質的に垂直軸の周りで回転される代替的な位置の傘を示す、天蓋椅子の上部平面図である。
【図８】傘が椅子フレームに近接して格納位置に折りたたまれた、椅子の斜視図である。
【図９】椅子および傘のクリップ部材の拡大分解図である。
【図１０】天蓋支柱の１つの押しボタンヒンジの拡大図である。
【発明を実施するための形態】
【００２２】
本発明の椅子を、通常、図内で参照番号１０で示す。椅子は、椅子の脚部および椅子１０の背もたれ部、座部、およびアームレストの支持体を形成する折りたたみフレーム１２を有する。布材が、椅子座部１４、背もたれ部１６、およびアームレスト１８を形成するように、フレーム１２に取り付けられている。フレーム１２は、椅子１０が使用位置および格納位置の間を折りたたみおよび広げられるように、横方向に横断および長手方向に前から後ろに伸びる垂直軸の周りで折りたたむ。フレーム１２、座部１４、背もたれ部１６およびアームレスト１８の一般的な構造は、市販されている「ケルシウス」椅子のような、当業界で公知の種々の形態をとってもよい。
【００２３】
椅子１０は、フレーム１２に取り外し可能に接合された天蓋２０を有する。天蓋２０は、支柱２２、複数のスポーク２４、および布製覆いまたはボディ２６を有する傘の形態である。
【００２４】
支柱２２の下端は、クリップ２８を用いてフレーム１２に装着されている。クリップ２８は、いずれの好都合な形態であってもよい。望ましい形態では、クリップ２８は、椅子１０の背もたれ部１６に近接した、フレーム１２の上側に固定されたメス型受口３０を有する。支柱２２の下端は、天蓋２０がフレーム１２にロックされるように、メス型受口３０に受け入れられる弾性のあるタブ３４が付いたオス型部材３２を有する。受口３０は、椅子１０から傘２０を外すために人間の指がタブ３４を押し下げられるよう、開口部を有する。弾性のあるタブ３４は、天蓋２０をメス型受口３０から取り外すのを可能にする。図に見られるように、椅子に座っている人間の所望に応じて天蓋２２が椅子１０のどちらの側にも選択的に位置決めが可能となるよう、メス型受口３０はフレーム１２の左側および右側の両方につけられる。
【００２５】
望ましい実施形態では、天蓋２０の支柱２２は上部および下部セグメント３６、３８を有する。上部セグメント３６が下部セグメント３８に対して水平軸の周りを前方および後方におよそ１８０°〜２７０°枢動できるよう、押しボタンヒンジ４０が、上部および下部セグメント３６、３８の接合部につけられる。第２の押しボタンヒンジ４２が、オス型クリップ部材３２に近接して、下部セグメント３８の底部につけられ、下部セグメントが椅子１０のアームレストとフレーム１２の後側の間を前方および後方に少なくとも２７０°枢動できるようにする。ヒンジ４２が、椅子１０に対して傘２０の３６０°の回転を可能にするのが望ましい。押しボタンヒンジ４２は、天蓋２０が椅子１０の上に伸びる使用位置とフレーム１２に近接した格納位置の間を移動することを可能にする。ヒンジ４０および４２は、増分角度で位置をロックする。ヒンジのボタンが押し下げられるとき、ヒンジのロックは外れ、ボタン軸の周りの回転移動を可能にする。ボタンが離されると、ヒンジは選択された角度の方向にロックする。よって、傘はヒンジ４０、４２の１つまたは両方の周りを枢動でき、椅子に対する太陽の角度によって、椅子１０に影を作る。支柱セグメント３６、３８は、図１〜４に示されるように、同軸方向に整列してもよく、または、図５の一例に示すように種々の角度で配置してもよい。
【００２６】
図８に示されるように、折りたたんだ傘のボディ２６を格納位置に保つため、ベルクロストラップ４４をつけてもよい。ベルクロストラップ４４は、十分に長い場合、格納位置で天蓋２０を固定するためフレーム１２の周りに伸ばしてもよい。椅子１０が使用のために広げられるとき、またはスリーブバッグ（図示せず）に格納および運搬のために折りたたまれるときに、天蓋２０の格納位置を保持できる。
【００２７】
天蓋または傘２０のボディ２６は、上部支柱セグメント３６の軸の周りをどの方向にも３６０°回転するよう、支柱２２の上端に回転可能に装着される。よって、上部支柱セグメント３６の軸の周りのボディ２０の回転、および押しボタンヒンジ４０、４２の水平軸の周りの支柱セグメント３６、３８の枢動移動で、太陽、風および／または雨からの所望の保護のため、椅子に座っている人間に、天蓋または傘２０を選択的に位置決めできるようにする。傘２０も、最善に保護するため、太陽の角度によって椅子のどちらの側にもクリップで留めてよい。
【００２８】
天蓋または傘２０のボディ２６の形状は非対称形で、支柱２２がボディ２６の中心に対して偏っている。スポーク２４は、従来の傘のように同じ長さではない。例えば、図７に最もよく見られるように、２本の短いスポーク、２本の長いスポークおよび２本の中間のスポークがある。この天蓋または傘２０の偏った非対称形形状は、傘を椅子フレーム１２の一方の側に装着できるようにし、一方でなお図７に最もよく示されるように、椅子１０の幅いっぱいに影または保護を提供できるようにする。傘の形状は、長い側、短い側、および反対側の側面を定め、所望の影をつくる一方で椅子に座っている人間が傘に遮られることなく活動またはイベントを見ることを可能にするよう、どの側を椅子１０の前方に位置決めてもよい。ボディ２６の下側は、紫外線保護および熱抵抗の強化のため、コーティングまたは金属層を有することが望ましい。
【００２９】
椅子１０は、快適で便利であるよう、独自の付加的な機能を有する。座部１４、背もたれ部１６、およびアームレスト１８の布にパッドをつけてもよい。腰部支持体４６が、快適性を増すため、背もたれ部１６につけられる。飲料入れ４８を、アームレスト１８の一方または両方につけてもよい。格納ポケット５０、５２を、アームレスト１８の一方またはそれ以上、および座部１４の前部につけてもよい。ポケット５０、５２は、ポケットの開閉のため、ファスナ５４を有することが望ましい。ファスナ５４のうちの１つは、ファスナの引手に、栓抜きを有してもよい。
【００３０】
使用中、人間が椅子１０に座るのを止めたとき、従来の傘と同様に、支柱２２に摺動可能に装着されスポークの内側端が取り付けられた環を引きおろすことで、傘ボディ２６を折りたたむためスポークまたはリブ２４を迅速および容易に折りたたむまたは引き込むことが可能である。それから、支柱セグメント３６、３８が角度をつけて方向付けられていれば、押しボタンヒンジ４０を押し下げることでまっすぐにされる。それから、支柱２２が後方および下方に折りたたまれてフレーム１２の後側に近接して位置決められるのが可能となるよう、押しボタンヒンジ４２を作動することが可能である。それから、当業界で公知のように、フレーム１２を、天蓋２０を取り外すことなく完全に折りたたまれた位置へ折りたたみ運搬バッグまたはケースに入れるよう、折りたたむことが可能である。左側および右側のクリップ、ボタンヒンジ、および傘の回転するボディは、椅子に対する傘の実質的に無限の位置決めの選択肢を可能にする。
【００３１】
望ましい実施形態と共に本発明が示され前述され、本発明の意図された趣旨および範囲内の多くの改良、置換および追加がされうることが理解される。例えば、支柱２２は、クリップ２８以外のコネクタまたは装着手段でフレーム１２に着脱可能に接合してもよく、フレーム１２または椅子１０に対して支柱２２を枢動するため、異なるヒンジを使用してもよい。支柱２２も、１つの部品または複数の部品でもよく、または伸縮構造でもよい。椅子の構造も、図で示されるものから変更してもよい。
【００３２】
前述から、本発明は少なくとも述べられた全ての目的を達成することがわかる。
【図１】
0005650666.tif 000002
【図２】
0005650666.tif 000003
【図３】
0005650666.tif 000004
【図４】
0005650666.tif 000005
【図５】
0005650666.tif 000006
【図６】
0005650666.tif 000007
【図７】
0005650666.tif 000008
【図８】
0005650666.tif 000009
【図９】
0005650666.tif 000010
【図１０】
0005650666.tif 000011